(57)【要約】【課題】薬液の種類（例えば、芳香の種類）と関連性のあるガイド体を容易に装着及び脱着することができ、それによりその薬液に対応したガイド体が使用者に視認されることで、薬液の効能を視覚的にもイメージさせることのできる加熱蒸散器を提供する。【解決手段】蒸散器本体１０の内部に発熱体を設けると共に、蒸散器本体の上部に蒸散口１９を設け、そして蒸散器本体に、薬液を収納すると共に吸液芯が設けられた容器４０が装着されて、当該吸液芯を発熱体により加熱することにより、前記吸液芯に吸い上げられた薬液が蒸散されて、前記蒸散口１９から当該蒸散された薬液を外へ放出する加熱蒸散器Ｍであって、薬剤の用途を使用者に想起させるためこの用途に応じた装飾を施すためのガイド体が、蒸散１９口を塞がないように蒸散器本体１０の外面に着脱自在に設けられる。【選択図】図１
2009136374.tif 000002
【特許請求の範囲】
【請求項１】
蒸散器本体の内部に発熱体が設けられると共に、前記蒸散器本体の上部に蒸散口が設けられ、そして当該蒸散器本体に、薬液を収納すると共に吸液芯が設けられた容器が装着されて、当該吸液芯を前記発熱体により加熱することにより、前記吸液芯に吸い上げられた薬液が蒸散されて、前記蒸散口から当該蒸散された薬液が外へ放出される加熱蒸散器であって、
前記薬剤の用途を使用者に想起させるため当該用途に応じた装飾を施すためのガイド体が、前記蒸散口を塞がないように前記蒸散器本体の外面に着脱自在に設けられる
ことを特徴とする加熱蒸散器。
【請求項２】
前記ガイド体が、前記蒸散器本体の正面を覆う正面板と、前記蒸散器本体の上面及び両側面の少なくとも一部をそれぞれ覆うように当該正面板の縁部から延出された側面板と、を有する面状のカバーとして構成される
ことを特徴とする請求項１に記載の加熱蒸散器。
【請求項３】
前記蒸散器本体の正面に、係合孔が穿設されると共に、
前記ガイド体の正面板の内面に、前記係合孔に着脱自在に差し込み係合される割ピンが突設される
ことを特徴とする請求項２に記載の加熱蒸散器。
【請求項４】
前記ガイド体が前記蒸散器本体の外面に装着された際に、当該ガイド体と当該外面との間に隙間が形成されるように前記ガイド体が構成される
ことを特徴とする請求項１〜３のいずれか１つに記載の加熱蒸散器。
【請求項５】
前記薬液が芳香剤であり、このとき
前記ガイド体に、当該芳香剤の芳香の種類に応じた装飾が施される
ことを特徴とする請求項１〜４のいずれか１つに記載の加熱蒸散器。
【請求項６】
前記芳香の種類が食品関連のものであり、このとき
前記ガイド体に、食品を想起させる装飾が施される
ことを特徴とする請求項４に記載の加熱蒸散器。
【請求項７】
前記薬液を収納する容器と当該薬液の用途に応じたガイド体との組み合わせが複数組用意され、これら組み合わせが選択的に前記蒸散器本体に取り替えられる
ことを特徴とする請求項１〜６のいずれか１つに記載の加熱蒸散器。
【請求項８】
前記容器は、本体口部に前記吸液芯を保持するための吸液芯保持栓を有し、
当該吸液保持栓は、前記本体口部に嵌挿される筒状部と、当該筒状部の上端部に形成されて、当該嵌挿時に当該本体口部の端部と係止する鍔部と、により構成され、
当該筒状部の内周面には軸方向に沿って、本体外部と本体内部とを連通させるための空気溝が１つ形成され、そして
前記空気溝の断面積が３〜４ｍｍ２に設定されている
ことを特徴とする請求項１〜７のいずれか１つに記載の加熱蒸散器。
【請求項９】
前記蒸散器本体が外装ケースを備え、
前記発熱体は、当該外装ケースの内部上方で且つ前記蒸散口の下側に位置され、貫通方向を前記蒸散器本体の上下方向に向けたリング形状の金属板を有して設けられると共に、
前記発熱体の下部に、前記容器の上端を螺合装着する容器ホルダが設けられ、
当該容器ホルダは、前記容器の上端が螺合装着された際に前記吸液芯が前記発熱体のリング形状の金属板の環状中心部に挿入されて位置決めできるように構成され、更に
前記容器ホルダと前記発熱体とのうちいずれか一方が、上下方向の相対位置を調節できるように、スライド自在に設けられており、そして
前記外装ケースの外面には、当該上下方向の相対位置を調節する操作部が設けられる
ことを特徴とする請求項１〜８のいずれか１つに記載の加熱蒸散器。
【請求項１０】
前記蒸散器本体の背面に、通電用の差込プラグが突設されている
ことを特徴とする請求項１〜９のいずれか１つに記載の加熱蒸散器。
【発明の詳細な説明】
【技術分野】
【０００１】
本発明は、蒸散器本体の内部に設けられた発熱体により、薬液を収納する容器から突出して設けられた吸液芯を加熱することにより、吸液芯に吸い上げられた薬液を蒸散させる加熱蒸散器に関し、特に、芳香器具として有用な加熱蒸散器に関する。
【背景技術】
【０００２】
従来、香りを放つ器具として、特許文献１に記載された「香りディスプレイ」と呼ばれる、特定の芳香を放つ展示ディスプレイが知られている。この香りディスプレイは、食パン等の商品の外形を模して形作られた中空の疑似商品に吸気口と排気口とを形成すると共に、当該疑似商品の中空部内に、真の商品特有の香りを発生する香料と、当該香料より発する香りを排気口より放出する送風ファンと、が設けられたものである。
【０００３】
この香りディスプレイによれば、食パン等の商品を模した外形と匂いにより、視覚と嗅覚とに同時に訴えながら真の商品の購買意欲等を刺激することができるとされる。
【０００４】
【特許文献１】実開昭５８−３０４３７号公報
【発明の開示】
【発明が解決しようとする課題】
【０００５】
ところで、芳香剤を収容するケースで疑似商品をデザインした場合、中に入れる芳香剤の種類を変更したからといって、これに応じて装飾の種類を容易に変更する（取り替える）ことはできないため、例えば上記特許文献１では特定の商品価値しか演出できず、即ちその装飾された真の商品のみしか対応できず、改善の余地があった。
【０００６】
また、家庭内等で薬液を雰囲気中に効果的に揮散させるものとして、加熱蒸散器が知られている。この蒸散器は、一般的に、蒸散器本体の内部に設けられた発熱体により、薬液を収納する容器から突出して設けられた吸液芯を加熱することにより、吸液芯に吸い上げられた薬液を蒸散させるものである。そして、その用途として芳香、消臭、殺虫、忌避等が挙げられ、近年では、様々な種類の薬液（芳香の種類）が用いられて多種多様なシーンで用いられるようになってきている。
【０００７】
本発明は、前述した事情に鑑みてなされたものであり、その目的は、薬液の種類（例えば、芳香の種類）と装飾的に関連性のあるガイド体を容易に装着及び脱着することができ、それによりその薬液に対応したガイド体が使用者に視認されることで、薬液の効能を視覚的にもイメージさせることのできる加熱蒸散器を提供することにある。
【課題を解決するための手段】
【０００８】
本発明の前述した目的は、下記の構成により達成される。
（１）  蒸散器本体の内部に発熱体が設けられると共に、前記蒸散器本体の上部に蒸散口が設けられ、そして当該蒸散器本体に、薬液を収納すると共に吸液芯が設けられた容器が装着されて、当該吸液芯を前記発熱体により加熱することにより、前記吸液芯に吸い上げられた薬液が蒸散されて、前記蒸散口から当該蒸散された薬液が外へ放出される加熱蒸散器であって、
前記薬剤の用途を使用者に想起させるため当該用途に応じた装飾を施すためのガイド体が、前記蒸散口を塞がないように前記蒸散器本体の外面に着脱自在に設けられる
ことを特徴とする加熱蒸散器。
（２）  前記ガイド体が、前記蒸散器本体の正面を覆う正面板と、前記蒸散器本体の上面及び両側面の少なくとも一部をそれぞれ覆うように当該正面板の縁部から延出された側面板と、を有する面状のカバーとして構成される
ことを特徴とする上記（１）の加熱蒸散器。
（３）  前記蒸散器本体の正面に、係合孔が穿設されると共に、
前記ガイド体の正面板の内面に、前記係合孔に着脱自在に差し込み係合される割ピンが突設される
ことを特徴とする上記（２）の加熱蒸散器。
（４）  前記ガイド体が前記蒸散器本体の外面に装着された際に、当該ガイド体と当該外面との間に隙間が形成されるように前記ガイド体が構成される
ことを特徴とする上記（１）〜（３）のいずれか１つの加熱蒸散器。
（５）  前記薬液が芳香剤であり、このとき
前記ガイド体に、当該芳香剤の芳香の種類に応じた装飾が施される
ことを特徴とする上記（１）〜（４）のいずれか１つの加熱蒸散器。
（６）  前記芳香の種類が食品関連のものであり、このとき
前記ガイド体に、食品を想起させる装飾が施される
ことを特徴とする上記（４）の加熱蒸散器。
（７）  前記薬液を収納する容器と当該薬液の用途に応じたガイド体との組み合わせが複数組用意され、これら組み合わせが選択的に前記蒸散器本体に取り替えられる
ことを特徴とする上記（１）〜（６）のいずれか１つの加熱蒸散器。
（８）  前記容器は、本体口部に前記吸液芯を保持するための吸液芯保持栓を有し、
当該吸液保持栓は、前記本体口部に嵌挿される筒状部と、当該筒状部の上端部に形成されて、当該嵌挿時に当該本体口部の端部と係止する鍔部と、により構成され、
当該筒状部の内周面には軸方向に沿って、本体外部と本体内部とを連通させるための空気溝が１つ形成され、そして
前記空気溝の断面積が３〜４ｍｍ２に設定されている
ことを特徴とする上記（１）〜（７）のいずれか１つの加熱蒸散器。
（９）  前記蒸散器本体が外装ケースを備え、
前記発熱体は、当該外装ケースの内部上方で且つ前記蒸散口の下側に位置され、貫通方向を前記蒸散器本体の上下方向に向けたリング形状の金属板を有して設けられると共に、
前記発熱体の下部に、前記容器の上端を螺合装着する容器ホルダが設けられ、
当該容器ホルダは、前記容器の上端が螺合装着された際に前記吸液芯が前記発熱体のリング形状の金属板の環状中心部に挿入されて位置決めできるように構成され、更に
前記容器ホルダと前記発熱体とのうちいずれか一方が、上下方向の相対位置を調節できるように、スライド自在に設けられており、そして
前記外装ケースの外面には、当該上下方向の相対位置を調節する操作部が設けられる
ことを特徴とする上記（１）〜（８）のいずれか１つの加熱蒸散器。
（１０）  前記蒸散器本体の背面に、通電用の差込プラグが突設されている
ことを特徴とする上記（１）〜（９）のいずれか１つの加熱蒸散器。
【０００９】
上記（１）の構成によれば、蒸散器本体の外面に着脱自在に薬剤の用途を使用者に想起させるためこの用途に応じた装飾を施すためのガイド体を設けたので、ガイド体を容易に交換することができて、薬液に対応した装飾効果を容易に得ることができる。即ち、１つの蒸散器本体に種々の異なったガイド体を取り付けることにより、単に薬液のみを取り替えるものと異なって、薬液に対応するように装置全体のイメージの一新を図ることができる。特に、イメージの一新を図る場合には、ガイド体の取り付け箇所を、装置を設置した際に正面となる箇所に設定するのが好ましい。このようにすれば、ガイド体により背面部を隠すことができるので、ガイド体を最小範囲に設けるだけですむ。また、装飾をガイド体だけに施せばよいので、蒸散器本体に特別な装飾を施す必要がない。また、ガイド体を設けたとしても、蒸散口を塞がないように設けるので、蒸散性能を損なうこともない。そして、ガイド体には、薬液の用途に応じた装飾が施されるので、薬液の種類とガイド体との統一感を演出することができる。即ち、薬液の種類と関連性のあるガイド体を装着することで、ガイド体が使用者に視認されることにより、薬液の効能を視覚的にもイメージさせることができるようになる。また、「塞がないように」とは、揮散口を完全に覆った場合でも、その覆った面に、蒸散を妨げないように隙間（開口）が設けられているものも含んでいる。
上記（２）の構成によれば、ガイド体を面状のカバーとして構成したので、簡易な構成でありながら、看板のような装飾効果を演出することができる。また、ガイド体には正面板と側板とを設けているので、単なるシート状のものにした場合と比較して、立体的な形態とすることができ、視覚的にも好ましい効果を演出することができる。
上記（３）の構成によれば、ガイド体の正面板の内面に割ピンを突設したので、割ピンを蒸散器本体の外装カバーの正面の係合孔に差し込むだけで、ガイド体を容易に装着することができる。また、割ピンを係合孔に差し込んで係合させる構造としているので、装着又は脱着が容易であると共に、その装着又は脱着を何回繰り返しても、係合部分にガタツキが生じることがなく、耐久性も十分に確保することができる。
上記（４）の構成によれば、ガイド体が取り付けられた際に、蒸散器本体との間に隙間が形成されるので、加熱蒸散器より発生させられた熱気流（上昇気流）を下方から上方へ向けて案内するため、その都度蒸散器本体に供給される気流で蒸散器本体の過熱を防止し容器に収納された薬液の漏れを防止することができる。
上記（５）の構成によれば、芳香の種類と装飾の一体感を演出することができ、匂いと視覚効果で特定の雰囲気を醸し出すことができる。
上記（６）の構成によれば、食品の匂いとその食品と関連性のある視覚効果とで、使用者にリラックス効果を与えることができる。
上記（７）の構成によれば、使用者が薬液とガイド体との組み合せを自由に選ぶことにより、種々の薬液の効能を視覚的にもイメージさせることができるようになる。
上記（８）の構成によれば、空気溝の断面積が３〜４ｍｍ２となるように設定させることで、空気溝を介した容器本体外部への薬液の多大なこぼれ（液こぼれ）を抑制すると共に、例えばキャップを外すときのキャップに溜った薬液の空気溝を介した容器本体内部への戻りを効率よく実現して吸液芯保持栓上面部における多大な薬剤の溜り（液だまり）を抑制することができる。
上記（９）の構成によれば、操作部を操作して、発熱体と容器ホルダの相対位置を調節することにより、発熱体による吸液芯に対する加熱面積を調節することができ、これにより、薬液の蒸散度合の強弱調節を行うことができる。
上記（１０）の構成によれば、蒸散器本体の背面に設けた差込プラグを、例えば、壁に設けたコンセントに差し込むだけで、加熱蒸散器を設置することができる。
【００１０】
薬液の例としては、芳香剤、消臭剤、殺虫剤、忌避剤等を例として挙げることができる。ガイド体は、薬液の用途に応じて用意されており、薬液が殺虫剤や忌避剤の場合は、例えば、対象害虫のマンガや夏をイメージする海や山の図柄が施されたものを使用する。また、薬液が消臭剤の場合は、例えば、青空や森林の図柄が施されたものを使用する。また、薬液が芳香剤の場合は、香りに応じた花、植物、食べ物、飲み物等の図柄が施されたものを使用する。
【００１１】
そして、芳香剤の例としては、食品関連の香料を例として挙げることができる。例えば、食品であれは、ホットケーキ、ショートケーキ、クロワッサン、ワッフル、フランスパン、焼肉、ラーメン等の香料、飲料であれば、コーヒー、レモンティー、カフェラテ、ワイン、お茶等の香料を挙げることができる。また、これら香料の溶剤としては、ジプロピレングリコール等のグリコール類、３−メトキシー３−メチル−１−ブタノール等のアルコール類、等を挙げることができ、特に香料を溶解しやすい３−メトキシー３−メチル−１−ブタノールとジプロピレングリコールとを用いてこの２種混合を行うことでその持続時間を調整することが可能になる。
また、「ガイド体」とは、後述するように「薬液の用途を使用者に想起させるためこの用途に応じた装飾が施されたもの」及び「加熱蒸散器により発生させられた熱気流（上昇気流）を案内するもの」を意味するものとする。
【００１２】
この芳香剤を用いた場合のガイド体としては、食品を想起させる装飾、例えば、シェフ、コック、板前、メニューの看板、レストラン、ファーストフード店等の外観や種々の食品を表した図等の装飾が施されたものを使用する。
【００１３】
また、ガイド体の取付方法は、差込、挟持、フック、嵌合によるもの等、種々の方法を採用することができ、加えてそのガイド体の大きさ、形状（板状、容器状、皿状等）、材質（樹脂、木材、紙材等）は所定の仕様に応じて適宜選択される。
【００１４】
さらに、吸液芯は、合成樹脂繊維を熱硬化性樹脂によって接着し成形してなる、気孔率２０〜８０％（好ましくは、５０〜７０％）に設定された材料である。その吸液芯の材料としてはポリエステル、ポリアクリル、ポリアミド、ポリエチレン、ポリプロピレン等が採用できるが、吸液芯保持栓への挿入し易さ等を考慮するとポリエステルが好ましい。吸液芯の直径が２〜５ｍｍが好ましく、この範囲のうち３ｍｍがより好ましい。２ｍｍより細いと強度が小さくなり、逆に５ｍｍより太くなると薬剤の揮散量の調整が難しくなるからである。
なお、このとき、吸液芯の直径を３ｍｍとした場合には、リング形状の発熱体の内径を１０ｍｍ前後とし、且つその発熱温度を８０℃〜１１０℃、より好ましくは９０℃前後とするとよい。このように設定した場合には吸液芯表面と発熱体内周面との距離が３．５ｍｍ前後となり、このことにより吸液芯の劣化が少なく持続的な蒸散が可能になる。
【発明の効果】
【００１５】
本発明によれば、薬液の種類（例えば、芳香の種類）と関連性のあるガイド体を容易に装着及び脱着することができ、それによりその薬液に対応したガイド体が使用者に視認されることで、薬液の効能を視覚的にもイメージさせることのできる加熱蒸散器を提供することができる。
【発明を実施するための最良の形態】
【００１６】
以下、本発明に係る好適な実施形態について図面を参照しながら説明する。
図１は実施形態の加熱蒸散器の外観構成を示す斜視図であり、図２は蒸散器本体の内部構成を示す断面図であり、図３は蒸散器本体における蒸散度合の強弱機構の説明図で、（ａ）は蒸散器本体の上面概略図、（ｂ）は弱側に設定した際の（ａ）のＡ−Ａ矢視断面図、（ｃ）は強側に設定した際の（ａ）のＡ−Ａ矢視断面図であり、図４（ａ）は蒸散器本体に装着するガイド体の正面図、（ｂ）は同背面図であり、図５（ａ）は蒸散器本体に薬液（例：芳香剤）入り容器と装着体を取り付けた状態を示す右側面図、（ｂ）は同左側面図、（ｃ）は同上面図、（ｄ）は同下面図、図６は薬液の種類とガイド体の種類を複数組用意して蒸散器本体にセットする場合の説明用の模式図であり、図７（ａ）は蒸散器本体に装着する別のガイド体の一例を示す正面図、（ｂ）は同背面図であり、図８は容器の構成を説明するための分解斜視図である。
【００１７】
図１及び図５に示すように、この加熱蒸散器Ｍは、蒸散器本体１０と、蒸散器本体１０に装着される容器４０と、蒸散器本体１０の外面に着脱自在に取り付けられるガイド体５０と、を備えて構成される。
なお、容器４０には前述の薬液が収納されており、また容器４０の底部から外部上方に延出する吸液芯４１が設けられており（図８参照）、この吸液芯４１は容器４０の上端口部で支持されている。また、この容器４０を、以下単に「薬液入り容器」または「容器」とも言う。
【００１８】
蒸散器本体１０には、図２に示すように、樹脂製の外装カバー１１の内部上方に発熱体２１が設けられ、そして発熱体２１の下方に、薬液入り容器４０の上端を螺合装着するための容器ホルダ１５が設けられ、容器ホルダ１５の下側には、薬液入り容器４０（図８参照）を取り付けるための空所（スペース）１２が設けられている。そして、空所１２の上側の容器ホルダ１５や発熱体２１等が収容される部分が、外装カバー１１のドーム形状の頭部１３で覆われ、発熱体２１の真上の外装カバー１１の頭部１３上に蒸散口１９が設けられている。
【００１９】
外装カバー１１の内部下方には、樹脂製の本体フレーム１４が下側から挿入固定されており、その本体フレーム１４に形成された支持筒部１４ａに、容器ホルダ１５が、上下方向スライド自在に取り付けられている。この容器ホルダ１５は、薬液入り容器４０の上端口部に設けられた後述するネジ４５（図８参照）を螺合するためにネジ突起１６が内周面に形成された円筒体として形成されており、その上端にある鍔部（フランジ部）で支持筒部１４ａから下方に抜けないように保持され、そして、その下方へ抜け止めされた位置より上側に向けてスライドできるようになっている。この容器ホルダ１５の上部には、吸液芯（図８参照）４１が突き出すための開口１７が設けられ、容器ホルダ１５の更に上側には、発熱体２１を外側から覆うように半筒状の保護壁１８が一体に設けられている。
【００２０】
発熱体２１は、貫通方向を上下方向に向けたリング形状の金属板を有して設けられ、蒸散口１９の下側に位置されており、本体フレーム１４上に取付けられた基板２０に支持されている。また、この基板２０には、使用中に点灯するＬＥＤランプ２２が取り付けられており、外装カバー１１の頭部１３の上面部には、このＬＥＤランプ２２が外部から視認されるように、このランプ２２のための露出孔が設けられている。
【００２１】
そして、容器ホルダ１５に薬液入り容器４０の上端が螺合装着されることにより、吸液芯４１がその発熱体２１のリング形状の金属板の環状中心部に挿入されて位置決めされ、この状態で発熱体２１に電気が通電され、この通電の結果、発熱体２１により吸液芯４１が加熱されることにより、吸液芯４１に吸い上げられた薬液が蒸散されると共に熱気流（上昇気流）が発生して、蒸散口１９からこの蒸散された薬液がこの上昇気流に乗って外へ放出されるようになっている。
なお、図５（ｄ）に示すように、本体フレーム１４下面部の正面側には正面側空気孔３３が２箇所設けられ、一方その背面側には背面側空気孔３４が３箇所設けられている。これにより、例えば正面側空気孔３３又は背面側空気孔３４片方のみが設けられたときと比較して、蒸散器本体１０内部に均一な気流が発生して薬液の結露を効果的に抑制することができる。
【００２２】
そして、図３（ａ）に示すように、外装カバー１１の一方の側面には、加熱蒸散器ＭをＯＮ／ＯＦＦするためのスイッチ３１が設けられ、また他方の側面には、容器ホルダ１５の上下方向の位置を調節するための操作部３２が設けられている。
【００２３】
この操作部３２は、図３（ｂ）、（ｃ）に示すように、容器ホルダ１５と連結されており、図３（ｂ）のように下方（矢印Ｙ１方向）にスライドさせると、容器ホルダ１５が下方に移動することで、発熱体２１に対する吸液芯４１の挿入量が小さくなり、その結果、発熱体２１による吸液芯４１に対する加熱量が減り、吸液芯４１に吸い上げられた薬液の蒸散量が減少する。また、図３（ｃ）のように上方（矢印Ｙ２方向）にスライドさせると、容器ホルダ１５が上方に移動することで、発熱体２１に対する吸液芯４１の挿入量が大きくなり、その結果、発熱体２１による吸液芯４１に対する加熱量が増え、吸液芯４１に吸い上げられた薬液の蒸散量が増加することになる。
このように、この操作部３２は、蒸散の強弱機構の調節スイッチの役目を果たすことになる。
なお、容器ホルダ１５はネジ突起１６を有した構造であるので、容器ホルダ１５への容器４０の螺合具合を調整することによってもその蒸散量の増減を調整することができる。即ち、容器ホルダ１５の中心軸線方向の高さ寸法等は、前述の調整等に支障がなく実施可能な範囲であれば任意であり限定されない。
【００２４】
また、蒸散器本体１０の背面には、通電用の差込プラグ２３が突設され、蒸散器本体１０の外装カバー１１の頭部１３の正面１３ａには、ガイド体５０を装着するための係合孔５８が、横方向に所定の間隔をおいて２個設けられている。
そして、蒸散器本体１０の背面が、差込プラグ２３が差し込まれるコンセントの表面に沿った形状（例えば平坦面）にされることにより、差込プラグ２３のコンセントの抜けを防止することができると共に、蒸散口１９が外装カバー１１の頭部１３上に設けられているので、その背面が蒸散口１９とコンセントの面との距離を規制する役目を果たして、例えばコンセントが設置された壁面の汚れを防止できることになる。
【００２５】
ガイド体５０は、任意の造形と任意の図柄が施された樹脂成形品より構成されるものであり、蒸散器本体１０の正面全体を覆う正面板５１と、蒸散器本体１０の上面及び両側面の少なくとも一部をそれぞれ覆う上面板５３及び両側面板５２とを有する面状のカバーとして構成されている。この場合、上面板５３には、蒸散口１９を塞がないようにするため、開口５３ａが設けられる。
なお、この開口５３ａに代えて格子状の切欠きとして設ける等、ガイド体５０が蒸散口１９を塞がないように構成されていればよい。
【００２６】
また、側面板５２は、蒸散器本体１０の側面に位置するスイッチ３１や操作部３２を塞がないように正面板５１の側縁部から延出している。そして、図４又は図７にガイド体５０の具体例を示すように、ガイド体５０の正面板５１の内面（背面）には、蒸散器本体１０の正面に設けた係合孔５８に着脱自在に差し込み係合される２つの割ピン５５が突設され、これらの割ピン５５が係合孔５８に差し込まれることで、ガイド体５０を蒸散器本体１０の正面（外面）に装着できるようになっている。
なお、このときには、ガイド体５０が蒸散器本体１０の正面に装着された際にガイド体５０とその正面と間に隙間が設けられるように割ピン５５のデザイン（例えば段部等）、寸法等が決定される。また、ガイド体５０が蒸散器本体１０の正面に装着されることで蒸散器本体１０が床面等に対し起立できるようにすると好ましいが、特にこれに限らず、蒸散器本体１０自体がそのまま起立できるようにしてもよく、又は薬剤入り容器４０が装着されることで起立できるようにしてもよい。
【００２７】
一方、薬液入り容器４０は、内部に薬液が収納されており、上端口部から吸液芯４１が外部上方へ突出し、不使用時にキャップ４２で栓がされるものである。即ち、図８に示すように、薬剤入り容器４０は、薬液を収納すると共に上部先端部に口部４４を有する容器本体４３と、不用時に栓をするためのキャップ４２と、容器本体４３に収納された薬液を毛細管現象により容器本体４３外部に吸上げるための吸液芯４１と、この吸液芯４１を容器本体４３の口部４４に保持するための樹脂製の吸液芯保持栓４６と、により構成される。
なお、口部４４の周方向に渡ってネジ４５が形成され、またキャップ４２の内部にはこのネジ４５に対応したネジ溝（不図示）形成されており、このため不用時にこれらネジ４２とネジ溝とが螺合されることで栓が行われることになる。また、本実施形態の場合、薬液としては、食品関係の香料を含んだ芳香剤を使用する。
【００２８】
そして、この吸液芯保持栓４６は、容器本体４３に嵌挿される筒状部４７と、この筒状部４７の上端部に形成されて、筒状部４７が容器本体４３に嵌挿される時にその口部４４の端部と係止する鍔部４８とを有して構成されており、またこの筒状部４７の内周面には軸方向に沿って、容器本体４３の外部と内部とを連通させるための断面矩形状の空気溝４９が１つ形成されている。
なお、空気溝４９は、その断面積が３〜４ｍｍ２となるように設けられる。このように空気溝４９の断面積が設定されることで、空気溝４９を介した容器本体４３外部への薬液の多大なこぼれ（液こぼれ）を抑制すると共に、例えばキャップ４２を外すときのキャップ４２に溜った薬液の空気溝４９を介した容器本体４３内部への戻りを効率よく実現して吸液芯保持栓４６上面部における多大な薬剤の溜り（液だまり）を抑制することができる。
【００２９】
そして、本実施形態のガイド体５０としては、この芳香剤と関連するように、食品を想起させる装飾、シェフ（図４参照）又はレストランの前に設置されるメニューの看板（図７参照）を表した装飾が施されたものが使用される。
【００３０】
ここで、例えば、図６に示すように、芳香剤４０Ａ〜４０Ｄ（薬液入り容器４０）やガイド体５０Ａ〜５０Ｄ（５０）を複数組用意し、その組の中から選んで蒸散器本体１０にセットする場合は、（ａ）のように、使用する芳香剤（薬液入り容器４０）をグループの中から例えば使用者の好みに応じて選択してキャップ４２を外し、（ｂ）のように蒸散器本体１０にセットする。同様に（ｃ）のように、選択した芳香剤に対応したガイド体５０をグループの中から適宜選んで、（ｄ）のように蒸散器本体１０にセットする。このように、芳香剤とこの芳香剤に対応したガイド体とを組み合せながら、自由に取り替えを行うことができる。
【００３１】
このように構成した加熱蒸散器Ｍによれば、蒸散器本体１０の外面に着脱自在に薬剤の用途を使用者に想起させるためこの用途に応じた装飾を施すためのガイド体５０を設けたので、ガイド体５０を容易に交換することができて、薬液に対応した装飾効果を容易に得ることができる。即ち、１つの蒸散器本体１０に種々の異なったガイド体５０を取り付けることにより、単に薬液（薬液入り容器４０）のみを取り替えるものと異なって、装置全体のイメージの一新を図ることができる。この場合、ガイド体５０の取り付け箇所を、装置を設置した際に正面となる箇所に設定しているので、装置背面部を隠すことができ、ガイド体５０を最小範囲に設けるだけですみ、ガイド体５０のコストを最小限に抑えることができる。
【００３２】
また、このようにガイド体５０を装着又は脱着できるようにした場合、装飾をガイド体５０だけに施せばよいので、蒸散器本体１０に特別な装飾を施す必要がない。また、ガイド体５０を設けたとしても、ガイド体５０に設けられた開口５３ａにより蒸散口１９を塞ぐことがないので、蒸散性能を損なうこともない
【００３３】
そして、ガイド体５０には、薬液の用途に応じた装飾を施してあるので、薬液の種類とガイド体５０の統一感を出すことができる。即ち、薬液の種類と関連性のあるガイド体５０を装着することで、ガイド体５０が使用者に視認されることにより、薬液の効能を視覚的にもイメージすることができるようになる。
【００３４】
また、本実施形態によれば、ガイド体５０を面状のカバーとして構成しているので、簡易な構成でありながら、看板のような装飾効果を演出することができる。また、ガイド体５０には正面板５１と上面板５３と両側面板５２とを設けているので、立体的な形態とすることができ、視覚的にも好ましい効果を演出することができるが、製造コストを考慮して単にシート状として構成してもよい。
【００３５】
また、本実施形態の場合、ガイド体５０の正面板５１の内面に割ピン５５を突設したので、割ピン５５を蒸散器本体１０の外装カバー１１の正面の係合孔５８に差し込むだけで、ガイド体５０を容易に装着することができる。また、割ピン５５を係合孔５８に差し込んで係合させる構造としているので、装着又は脱着が容易であると共に、その装着又は脱着を何回繰り返しても、係合部分にガタツキが生じることがなく、耐久性も十分に保証することができる。
【００３６】
そして、前述したように、ガイド体５０が取り付けられた際に、蒸散器本体１０との間に隙間が形成されるので、加熱蒸散器Ｍより発生させられた熱気流（上昇気流）を下方から上方へ向けて案内するため、その都度蒸散器本体１０に供給される気流で蒸散器本体１０の過熱を防止し容器４０に収納された薬液の漏れを防止することができる。
【００３７】
また、前述の説明のように、薬液として芳香剤を用いた場合には、芳香の種類と装飾の一体感を出すことができ、匂いと視覚効果で特定の雰囲気を醸し出すことができる。特に、本実施形態では、その芳香剤を食品関連の匂いにしているので、食品の匂いとその食品と関連性のある視覚効果とで、使用者にリラックス効果を与えることができる。
【００３８】
さらに前述の説明のように、空気溝４９の断面積が３〜４ｍｍ２となるように設定させることで、空気溝４９を介した容器本体４３外部への薬液の多大なこぼれ（液こぼれ）を抑制すると共に、例えばキャップ４２を外すときのキャップ４２に溜った薬液の空気溝４９を介した容器本体４３内部への戻りを効率よく実現して吸液芯保持栓４６上面部における多大な薬剤の溜り（液だまり）を抑制することができる。
【００３９】
さらに、本実施形態の場合、操作部３２を操作して、発熱体２１と容器ホルダ１５との相対位置を調節することにより、発熱体２１による吸液芯４１に対する加熱面積を調節することができるので、薬液の蒸散度合の強弱調節を機械的な構成だけで容易に行うことができる。
【００４０】
また、本実施形態の場合、蒸散器本体１０の背面に差込プラグ２３を設けたので、その差込プラグ２３を壁に設けたコンセントに差し込むだけで、加熱蒸散器Ｍを簡単に設置することができる。
【００４１】
なお、本発明は、前述した実施形態に限定されるものではなく、適宜、変形、改良、等が可能である。その他、前述した実施形態における各構成要素の材質、形状、寸法、数、配置箇所、等は本発明を達成できるものであれば任意であり、限定されない。
【００４２】
例えば、上記実施形態では、容器ホルダ１５を上下に動かすことで、発熱体２１と吸液芯４１の位置関係を調節するようにしたが、発熱体２１側を上下に動かすようにしてもよい。
【００４３】
また、発熱体２１の発熱量を制御できるようにして、それにより、蒸散量を調節するように構成することもできる。
【００４４】
また、上記実施形態では、蒸散器本体１０に係合孔５８を、ガイド体５０に割ピン５５をそれぞれ設ける構成としたが、その逆に蒸散器本体１０に割ピンを、ガイド体に係合孔をそれぞれ設けるようにしてもよい。また、そのガイド体５０の蒸散器本体１０への取付方法を、この割ピンと係合孔とによる方法に限らず、片方又は両方における粘着材によるもの、挟持部材を用いるもの、引掛部材（フック等）を用いるもの、等としてもよく、適宜種々の方法を採用することができる。
【００４５】
さらに、上記実施形態では、蒸散器本体１０の背面に、通電用の差込プラグ２３が突設されるとしてが、これに限らず先端部に差込プラグを有した延長コードを用いたものとしてもよい。この場合には、例えば畳、床、テーブル、調理台等の設置面上に蒸散器本体１０を設置して加熱蒸散器Ｍを使用することができる。
【図面の簡単な説明】
【００４６】
【図１】本発明の実施形態の加熱蒸散器の外観構成を示す斜視図である。
【図２】同加熱蒸散器における蒸散器本体の内部構成を示す断面図である。
【図３】同蒸散器本体における蒸散度合の強弱機構の説明図で、（ａ）は蒸散器本体の上面概略図、（ｂ）は弱側に設定した際の（ａ）のＡ−Ａ矢視断面図、（ｃ）は強側に設定した際の（ａ）のＡ−Ａ矢視断面図である。
【図４】（ａ）は前記蒸散器本体に装着するガイド体の具体例の正面図、（ｂ）は同背面図である。
【図５】（ａ）は前記蒸散器本体に薬液（例：芳香剤）入り容器と装着体を取り付けた状態を示す右側面図、（ｂ）は同左側面図、（ｃ）は同上面図、（ｄ）は同下面図である。
【図６】前記加熱蒸散器において、薬液の種類とガイド体の種類を複数組用意して蒸散器本体にセットする場合の説明用の模式図である。
【図７】（ａ）は蒸散器本体に装着する別のガイド体の一例を示す正面図、（ｂ）は同背面図である。
【図８】容器の構成を説明するための分解斜視図である。
【符号の説明】
【００４７】
Ｍ    加熱蒸散器
１０  蒸散器本体
１１  外装カバー
１５  容器ホルダ
１９  蒸散口
２１  発熱体
３２  操作部
４０，４０Ａ〜４０Ｄ  薬液入り容器
４１  吸液芯
４２  キャップ
４３  容器本体
４４  口部
４５  ネジ
４６  吸液芯保持栓
４７  筒状部
４８  鍔部
４９  空気溝
５０，５０Ａ〜５０Ｄ  ガイド体  
５１  正面板
５２  側面板
５３  上面板
５５  割ピン
５８  係合孔
【図１】
2009136374.tif 000003
【図２】
2009136374.tif 000004
【図３】
2009136374.tif 000005
【図４】
2009136374.tif 000006
【図５】
2009136374.tif 000007
【図６】
2009136374.tif 000008
【図７】
2009136374.tif 000009
【図８】
2009136374.tif 000010